(57)【特許請求の範囲】
【請求項１】
紫外線照射器本体の上部に冷却用の冷却ファンを設け、前記冷却ファンの下部に上下が開口した四角錐型の尖った頂部側が裁断された 逆裁頭四角錐型形状の風量調整体を配置し、前記風量調整体の下部に、紫外線照射器本体と頂部にスリットを有する反射鏡との間に位置させ配置した仕切り板と、前記反射鏡のスリットの上部に間隔を有して設けた遮風板と、前記紫外線照射器本体の下部に前面ガラスとを設け、さらに前記紫外線照射器本体の対向する両側の内側面に排風筒を設けて構成し、
前記冷却用の冷却ファンからの冷却風の流れを、前記風量調整体の傾斜した内壁から前記反射鏡のスリットをとおって、前記反射鏡の内部に位置する光源を冷却した後、前記前面ガラスに当たり、前記排風筒より外部に排出される系統のものと、
前記風量調整体の傾斜した内壁から前記反射鏡の外壁に向って吹き出し、前記反射鏡の外壁を通って前記前面ガラスに当たり、前記排風筒より外部に排出される系統のもの、
および前記風量調整体の傾斜した内壁に形成した空孔より、前記紫外線照射器本体と仕切り板の間に向って吹き出し、前記排風筒より外部に排出される系統のものとで構成したことを特徴とするインクジェットプリンタ用紫外線硬化装置。
【請求項２】
前記紫外線照射器本体の下部に支持してなる前記前面ガラスの外周辺を、前記反射鏡長手両下端に合わせて位置させた立上片を有し、表面を反射面に構成してなる支持板で固定したことを特徴とする請求項１記載のインクジェットプリンタ用紫外線硬化装置。
【発明の詳細な説明】
【技術分野】
【０００１】
本発明はインクジェットプリンタ用紫外線硬化装置の改良に関する。
【背景技術】
【０００２】
近年、印刷時の音が静かで、豊かな色彩を表現できるインクジェットプリンタが印刷分野で多用される傾向にある。インクジェットプリンタにより被着したインクを乾燥するには、従来は一般に自然乾燥することが行われている。
またインクジェットプリンタでは、印刷媒体に被着した紫外線硬化用インクを紫外線光源から照射される紫外線で硬化することが実施されている。（特許文献１  図１）
またインクジェットプリンタ用紫外線硬化装置は、印字ヘッドの両端に配置し、インクジェットプリンタの内部で可動自在に配置して構成したものがある。そして、紫外線硬化用インクをワークに被着した後、インクジェットプリンタ用紫外線硬化装置で硬化することが実施されている。
【０００３】
【特許文献１】特開２００４−１５５０４７
【発明の開示】
【発明が解決しようとする課題】
【０００４】
ところでインクジェットプリンタ用紫外線硬化装置は、近年はインクジェットプリンタに組み込み印字ヘッドと一緒に高速で可動するので、小型で且つ軽量化が望まれている。
しかし、インクジェットプリンタ用紫外線硬化装置を小型に構成すると、インクジェットプリンタ用紫外線硬化装置の内部が高温となり、印字ヘッド周辺装置が高熱で劣化し易い欠点がある。さらにインクジェットプリンタ用紫外線硬化装置に組み込み使用する紫外線光源は、硬化効率を向上するために最近は高出力のものを用いる傾向にあり、インクジェットプリンタ用紫外線硬化装置の内部は、より高温となり易い欠点がある。
【０００５】
本発明は上記した諸点に鑑み発明したものであって、装置全体を小型に構成し、高出力の紫外線光源を用いた場合も、インクジェットプリンタ用紫外線硬化装置の内部温度を低く抑えることができ、ワークの表面のインクを効率的に硬化することができるインクジェットプリンタ用紫外線硬化装置を提供することを目的とする。
【課題を解決するための手段】
【０００６】
請求項１に記載の本発明は、上記した課題を解決するために、紫外線照射器本体の上部に冷却用の冷却ファンを設け、前記冷却ファンの下部に上下が開口した四角錐型の尖った頂部側が裁断された 逆裁頭四角錐型形状の風量調整体を配置し、前記風量調整体の下部に、紫外線照射器本体と頂部にスリットを有する反射鏡との間に位置させ配置した仕切り板と、前記反射鏡のスリットの上部に間隔を有して設けた遮風板と、前記紫外線照射器本体の下部に前面ガラスとを設け、さらに前記紫外線照射器本体の対向する両側の内側面に排風筒を設けて構成し、
前記冷却用の冷却ファンからの冷却風の流れを、前記風量調整体の傾斜した内壁から前記反射鏡のスリットをとおって、前記反射鏡の内部に位置する光源を冷却した後、前記前面ガラスに当たり、前記排風筒より外部に排出される系統のものと、
前記風量調整体の傾斜した内壁から前記反射鏡の外壁に向って吹き出し、前記反射鏡の外壁を通って前記前面ガラスに当たり、前記排風筒より外部に排出される系統のもの、
および前記風量調整体の傾斜した内壁に形成した空孔より、前記紫外線照射器本体と仕切り板の間に向って吹き出し、前記排風筒より外部に排出される系統のものと、を有して構成してある。
【０００７】
請求項２に記載の発明は、前記紫外線照射器本体の下部前面に支持してなる前記前面ガラスの外周辺を、前記反射鏡下端に合わせて位置させた立上片を有し、表面を反射面に構成した支持板で固定するように構成してある。
【発明の効果】
【００１０】
上記した請求項１に記載のインクジェットプリンタ用紫外線硬化装置によると、装置全体を小型に構成し、高出力の紫外線光源を用いた場合も、装置の内部温度を低く抑えることができ、ワークの表面のインクを効率的に硬化することができる特別な効果がある。また請求項２に記載のインクジェットプリンタ用紫外線硬化装置によると、支持板の立上片が反射鏡の役目を果たし、投射された紫外線がワークに反射されるので、さらにワークの表面のインクを効率的に硬化することができる。
【発明を実施するための最良の形態】
【００１１】
次に本発明の最良の形態を図１乃至図５について説明する。
【実施例１】
【００１２】
図１は本発明にかかるインクジェットプリンタ用紫外線硬化用照射装置の正面断面図である。図２は図１の側面断面図である。図１及び図２において、１は紫外線照射器本体であって、箱型に構成してある。２は紫外線照射器本体１の内部に設けてなる反射鏡であって、例えば紫外線を反射し、熱線を透過するいわゆるコールドミラーを用いて構成してある。また反射鏡２の頂部にはスリット６を設け、冷却風が通過するように構成してある。３は反射鏡２の内部に位置して装着してなる光源であって、例えば４００Ｗ乃至３０００Ｗの紫外線光源を用いて構成してある。４００Ｗ乃至３０００Ｗの紫外線光源を用いた装置においては、ファンを用いて冷却風を噴出させ、光源を冷却させる。４は紫外線照射器本体１の例えば前端に配置してなる前面ガラスである。紫外線照射器本体１は例えば、縦寸法は１３．５ｃｍ、横寸法３３ｃｍ、高さ１９ｃｍ程度に構成してある。反射鏡２は例えば、縦寸法は１０ｃｍ、横寸法１５ｃｍ、高さ７．５ｃｍ程度に構成してある。また前面ガラス４例えば、縦寸法は１２ｃｍ、横寸法２０ｃｍ、厚さ０．３ｃｍ程度に構成してある。
【００１３】
１０は反射鏡の頂部に形成したスリット６と間隔を有して構成した遮風板であって、反射鏡の内部に位置して装着される光源に直接冷却風があたらないように構成してある。１１は紫外線照射器本体１の対向する両側の内部に設けてなる排風筒である。
図１乃至図４において、１２は紫外線照射器本体１の内部で、反射鏡２の上部に位置して配置してなる上下に開口を有する四角錐型の尖った頂部側が裁断された、 逆裁頭四角錐型形状の風量調整体であって、例えばアルミニウムで構成してある。１３は、同風量調整体の傾斜壁の一部に形成した複数の空孔であって、同空孔より反射鏡２の外側と紫外線照射器本体の内側との間を冷却風が通過するように構成してある。１４は紫外線照射器本体１の短尺方向であって、紫外線照射器本体１と反射鏡２の間に位置して配置してなる仕切り板である。
【００１４】
３０は反射鏡２の上部に位置して設けた冷却ファンであって、冷却風が風量調整体１２の傾斜した内壁から反射鏡２の内部に位置する光源３と、反射鏡２の外壁および紫外線照射器本体１と仕切り板１４との間に向って吹き出すように構成してある。
【００１５】
上記した構造のインクジェットプリンタ用紫外線硬化用照射装置によると、冷却風は風量調整体１２の内壁から反射鏡２のスリット６をとおって、反射鏡の内部に位置する光源３を冷却し、排風筒１１より外部に排出される。この場合、遮風板１０がスリット６と間隔を有して配置してあるので、光源の上側のみが過冷されることはない。また、別の系統では冷却風は風量調整体１２の傾斜した内壁から反射鏡２の外壁をとおって、前面ガラスに当たり、排風筒１１より外部に排出される。
また、別の系統では風量調整体１２の傾斜した内壁に形成した空孔１３より、本体１と仕切り板１４の間に向って吹き出し、排風筒１１より外部に排出される。
【００１６】
４０は前面ガラスの外周辺を押圧支持してなる支持板であって、反射鏡下端に合わせて位置させた立上片４１を有して構成し、表面を反射面に構成してある。表面を反射面に構成することにより、支持板に投射された紫外線がワークに反射されるので、さらにワークの表面のインクを効率的に硬化することができる。
【００１７】
図５は、図１及び図２に示すインクジェットプリンタ用紫外線硬化用照射装置をインクジェットプリンタの印字ヘッド５０の両端に組み込んだときの概略図である。別の装置として、インクジェットプリンタ用紫外線硬化用照射装置をインクジェットプリンタの印字ヘッド５０の片側に配置したものも実施されている。
【００１８】
次に上記したインクジェットプリンタ用紫外線硬化用照射装置の動作について説明する。
＜インクジェットプリンタ用紫外線硬化用照射装置をインクジェットプリンタの印字ヘッドの両端に組み込んだときの動作＞
（１）印字ヘッド５０が、図５に示す左方向に移動するときは、印字ヘッド５０よりインクがワーク表面に噴射される。このとき、進行方向側のインクジェットプリンタ用紫外線硬化用照射装置は、例えば蓋体で表面を閉じ、紫外線が照射されないように構成され、後側のインクジェットプリンタ用紫外線硬化用照射装置から照射される紫外線でワーク表面に噴射されたインクが硬化する。
（２）また印字ヘッド５０が、図５に示す右方向に移動するときは、（１）と同様に、進行方向側のインクジェットプリンタ用紫外線硬化用照射装置は、例えば蓋体で表面を閉じ、紫外線が投射されないように構成され、他側のインクジェットプリンタ用紫外線硬化用照射装置から照射される紫外線でワーク表面に噴射されたインクが硬化するように構成してある。
（３）ワーク表面のインクを硬化するときの印字ヘッドのスピードは、４０乃至６０ｍ／ｍｉｎ程度である。
【００１９】
＜インクジェットプリンタ用紫外線硬化用照射装置をインクジェットプリンタの印字ヘッドの片側に組み込んだときの動作＞
（１）インクがワーク表面に噴射されるときは、必ず印字ヘッド５０の後行側にインクジェットプリンタ用紫外線硬化用照射装置が位置し、インクジェットプリンタ用紫外線硬化用照射装置から照射される紫外線でワーク表面に噴射されたインクが硬化される。
（２）かかる後、組み合わされたインクジェットプリンタ用紫外線硬化用照射装置と、インクジェットプリンタの印字ヘッドは元の位置に戻る。このとき、インクは噴射されず、
インクジェットプリンタ用紫外線硬化用照射装置は、たとえば蓋体で表面を閉じた状態で移動する。
（３）印字ヘッドのスピードは、紫外線を照射するときも、照射しないで元に戻るときも同じく、４０乃至６０ｍ／ｍｉｎ程度である。
【図面の簡単な説明】
【００２０】
【図１】本発明に係るインクジェットプリンタ用紫外線硬化用照射装置の正面断面図。
【図２】図１のインクジェットプリンタ用紫外線硬化用照射装置の側面断面図。
【図３】インクジェットプリンタ用紫外線硬化用照射装置における風量調整体の平面図。
【図４】インクジェットプリンタ用紫外線硬化用照射装置における風量調整体の正面図。
【図５】図１のインクジェットプリンタ用紫外線硬化用照射装置をインクジェットプリンタに組み込んだときの正面図。
【符号の説明】
【００２１】
１  紫外線照射器本体
２  反射鏡
３  光源
４  前面ガラス
６  スリット
１０  遮風板
１１  排風筒
１２  風量調整体
１３  空孔
１４  仕切り板
３０  冷却ファン
４０  支持板
５０  印字ヘッド
【図１】
0004756442.tif 000002
【図２】
0004756442.tif 000003
【図３】
0004756442.tif 000004
【図４】
0004756442.tif 000005
【図５】
0004756442.tif 000006